(57)【要約】装着時に幅方向（横方向）から力が加わっても十分な横モレ防止機能を果たし得る吸収性物品を提供する。液透過性の表面シートと、液不透過性の防漏シートと、表面シート及び防漏シートの間に配された液保持性の吸収体を有する吸収性物品において、前記吸収体は少なくとも２層で構成されていて、そのうちの少なくとも一層は親水性シートと高吸収性ポリマーからなる第１の吸収体層であり、吸収性物品の長手方向中間部において、第１の吸収体層の幅が他の吸収体層の幅よりも大きいことを特徴とする吸収性物品。第１の吸収体層は、複数の親水性シートが積層され、親水性シートの間に高吸収性ポリマーが配置されており、親水性シートは高吸収性ポリマーが散布されていない領域において接合されている。
2010107096.tif 000002
【特許請求の範囲】
【請求項１】
液透過性の表面シートと、液不透過性の防漏シートと、表面シート及び防漏シートの間に配された液保持性の吸収体を有する吸収性物品において、前記吸収体は少なくとも２層で構成されていて、そのうちの少なくとも一層は親水性シートと高吸収性ポリマーからなる第１の吸収体層であり、吸収性物品の長手方向中間部において、第１の吸収体層の幅が他の吸収体層の幅よりも大きいことを特徴とする吸収性物品。
【請求項２】
第１の吸収体層は、複数の親水性シートが積層され、親水性シートの間に高吸収性ポリマーが配置されており、親水性シートは高吸収性ポリマーが散布されていない領域において接合されている請求項１に記載の吸収性物品。
【請求項３】
前記他の吸収体層が、吸収性物品の長手方向中間部において、幅狭にくびれている請求項１に記載の吸収性物品。
【請求項４】
前記他の吸収体層の前記くびれ部の幅が３０〜８０ｍｍであり、これと重なる部分における第１の吸収体層の幅が４０〜１００ｍｍであり、両者の幅の差が両側合計で少なくとも６ｍｍである請求項１に記載の吸収性物品。
【請求項５】
前記他の吸収体層が、吸収性素材と高吸収性ポリマーを含む第２の吸収体層を含み、第１の吸収体は第２の吸収体層よりも肌側に配置されている請求項１に記載の吸収性物品。
【請求項６】
表面シートから吸収体に向かって圧搾溝が形成されて表面シートと吸収体が一体化され、第１の吸収体層では、高吸収性ポリマーが圧搾溝部には分布せず、圧搾溝部の内側および外側に分布している請求項１に記載の吸収性物品。
【請求項７】
第１の吸収体層の親水性シートが、乾燥圧縮回復率１０％以上及び湿潤圧縮回復率５％以上を有する請求項１に記載の吸収性物品。
【請求項８】
第１の吸収体層の親水性シートが、乾燥圧縮回復率１５％以上及び湿潤圧縮回復率１０％以上を有する請求項１に記載の吸収性物品。
【請求項９】
第１の吸収体層の親水性シートが非吸収性の繊維から形成されている請求項２に記載の吸収性物品。
【請求項１０】
生理用ナプキンである請求項１に記載の吸収性物品。
【発明の詳細な説明】
【技術分野】
【０００１】
本発明は、吸収性物品に関し、より詳しくは、股間部の使用感と吸収能力を両立させて違和感や漏れを防止する失禁パッド、生理用ナプキン等の吸収性物品に関する。
【背景技術】
【０００２】
一般的な吸収性物品においては、股間部領域も前後領域と同様に幅広で、全体として長方形型の吸収体を用いて、股間部の吸収能力を十分持たせることによって横モレを防止するようになっている。【０００３】
特許文献１（特開２０００−３３３９８７号公報）が開示する吸収性物品は、吸収性物品の長手方向において接面側に凹状に湾曲し、吸収性物品の排泄部当接位置の側部が平面視で中央方向に幅狭になったくびれ部を有し、且つ長手方向両側部に肌当接面側に凸曲面立体部を有する、という形態をしていることにより、湾曲した形状が身体の前後方向の局面にフィットして吸収性物品の前後端からのモレを防止し、くびれと凸曲面の立体形状が足の付け根の曲面に隙間を作らないようにフィットするため、装着時に周縁部から排泄物が漏れないようにされている。特許文献１では、吸収層としては、くびれ部の幅より狭い幅の長方形の吸収体が用いられている。【０００４】
また、特許文献２（特開平５−１３７７５０号公報）は、吸収性物品の排泄部当接位置の側部が平面視で中央方向に幅狭になったくびれ部を有し、吸収層においても長さ方向の両側部の一部に幅狭なくびれ部を設けた砂時計型をしているナプキンを開示している。このナプキンは、装着者の幅狭な股部にフィットし、れじれ、よれ等の変形を防止するのに有効である。
【先行技術文献】
【特許文献】
【０００５】
【特許文献１】特開２０００−３３３９８７号公報
【特許文献２】特開平５−１３７７５０号公報
【発明の概要】
【発明が解決しようとする課題】
【０００６】
従来の股間部領域も前後領域と同様に幅広で全体として長方形型の吸収体を有する吸収体物品では、装着時に幅方向（横方向）から力が加わることによって吸収体が変形し、股間部が嵩高になるために装着感を悪くしてしまったり、吸収面がよれて狭くなり、排泄物が十分捕獲できずに漏れてしまう恐れがある。【０００７】
特許文献１の吸収性物品にあっては、長手方向において肌当接面側に凹状に湾曲し、排泄部当接位置が幅方向に幅狭にくびれており、長手方向両側部には、肌当接面側に凸曲面立体部を有しているので、一見、股間部の前後方向の形状は凸状の曲面を描き、凹状に湾曲した吸収性物品にピッタリ合致しそうに思えるが、装着中は、衣服や下着などによる圧迫や、座ったときに加わる体圧により吸収性物品の形状は変形してしまうため、むしろ装着時に違和感を感じたり、変形により吸収体がよれて吸収能力が低下する恐れがある。【０００８】
さらに、特許文献１では、排泄部当接位置における幅方向のくびれに合わせて幅狭の吸収体が使用されているために、排泄時に横方向へ広がった排泄物は吸収できずに外へ漏れる恐れがある。その対策として、特許文献１では側部に土手状の凸立体部を設けて、堰き止めるように横モレを防止しようとしているが、排泄物でぬれた不快感を感じさせてしまったり、切迫性失禁のような多量の尿が一度に勢い良く排泄された場合には、凸曲面立体部を乗り越えて横モレを十分防止できないという課題があった。【０００９】
また、特許文献２では、砂時計型のナプキンであることで、装着者の幅狭な股部にフィットし、ねじれ、よれ等の変形を防止する効果が得られるが、排泄部当接位置では吸収体が幅方向にくびれて吸収体がないために、特許文献１と同様に、排泄時に横方向へ広がった排泄物は吸収できずに吸収体の外へ漏れる恐れがある。【００１０】
そこで、本発明は、製品の側部の使用感に優れ、しかも装着時に幅方向（横方向）から力が加わっても十分な横モレ防止機能を果たし得る吸収性物品を提供することを目的とする。
【課題を解決するための手段】
【００１１】
本発明は、上記目的を達成するために、下記を提供するものである。
（１）液透過性の表面シートと、液不透過性の防漏シートと、表面シート及び防漏シートの間に配された液保持性の吸収体を有する吸収性物品において、前記吸収体は少なくとも２層で構成されていて、そのうちの少なくとも一層は親水性シートと高吸収性ポリマーからなる第１の吸収体層であり、吸収性物品の長手方向中間部において、第１の吸収体層の幅が他の吸収体層の幅よりも大きいことを特徴とする吸収性物品。【００１２】
（２）第１の吸収体層は、複数の親水性シートが積層され、親水性シートの間に高吸収性ポリマーが配置されており、親水性シートは高吸収性ポリマーが散布されていない領域において接合されている上記（１）記載の吸収性物品。【００１３】
（３）前記他の吸収体層が、吸収性物品の長手方向中間部において、幅狭にくびれている上記（１）又は（２）に記載の吸収性物品。【００１４】
（４）前記他の吸収体層が、吸収性繊維と高吸収性ポリマーを含む第２の吸収体層を含み、第１の吸収体は第２の吸収体層よりも肌側に配置されている上記（１）〜（３）に記載の吸収性物品。【００１５】
（５）表面シートから吸収体に向かって圧搾溝が形成されて表面シートと吸収体が一体化され、第１の吸収体層では、高吸収性ポリマーが圧搾溝部には分布せず、圧搾溝部の内側および外側に分布している、上記（１）〜（４）に記載の吸収性物品。【００１６】
（６）第１の吸収体層の親水性シートが、乾燥圧縮回復率１０％以上及び湿潤圧縮回復率５％以上を有する上記（１）〜（５）に記載の吸収性物品。
【発明の効果】
【００１７】
本発明の吸収性物品によれば、親水性シートと高吸収性ポリマーからなる吸収体層を用い、例えば、吸収性繊維と高吸収性ポリマーが混合して形成された、他の吸収体層と組み合わせて使用し、前者の吸収体層を他の吸収体層よりも幅広にし、これらを組み合わせた吸収体として構成することによって、製品の側部領域の使用感と吸収能力を両立し、違和感やモレを防止する効果を得ることができる。
【図面の簡単な説明】
【００１８】
図１は本発明の実施例の吸収性物品の正面図を示す。
図２は本発明の実施例の吸収性物品の模式短手方向断面図を示す。
図３は本発明の実施例の吸収性物品の上層吸収体層の模式短手方向断面図を示す。
図４Ａ及び４Ｂは本発明の実施例の吸収性物品の上層吸収体層における接合領域と非接合領域のパターンを示す正面図である。
図５Ａ及び５Ｂは本発明の実施例の吸収性物品における圧搾溝のパターン及びこれを形成するエンボスの形状を示す。
図６は本発明の実施例の吸収性物品の下層吸収体層の正面図及び下層吸収体層内の吸収性コアの側面図を示す。
【発明を実施するための形態】
【００１９】
以下、本発明の吸収性物品の実施態様について図面を参照しながら詳細に説明する。
図１に本発明の実施例の吸収性物品の正面図、図２に図１の吸収性物品の短手方向断面図を示す。図１において上下が長手方向（腹−背方向）、左右が短手方向（右足−左足方向）である。
【００２０】
図１及び図２に示すように、この吸収性物品１０は、身体側に液透過性の表面シート１、衣服側に液不透過性の防漏シート２を配し、表面シート１と防漏シート２との間に吸収体３が配されている。吸収体３は、この実施例では、第１の吸収体層として、親水性シート６ａと高吸収性ポリマー６ｂからなる上層吸収体層６と、他の吸収体層である下層吸収体層（吸収体本体層）５との２層の吸収体層からなるが、他の吸収体層は２層以上からなってもよい。下層吸収体層５は、代表的には、吸収性繊維５ａと高吸収性ポリマー５ｂが混在する吸収体層である。上層吸収体層６は、下層吸収体層５の少なくとも長手方向中間部において、その幅が下層吸収体層５の幅よりも大きく形成されている。表面シート１と吸収体３は、重ねあわされた状態で、表面シート側から圧搾溝（ヒンジ）４によって一体化されている。
【００２１】
下層吸収体層５の少なくとも長手方向中間部における上層吸収体層６の幅と下層吸収体層５の幅との差は、両側合計で（片側ではその半分）で、少なくとも６ｍｍ、さらには１０ｍｍ以上であることが好ましく、さらに１０〜４０ｍｍあるいは１０〜３０ｍｍ、特に１０〜２０ｍｍであることが好ましい。この幅の差が６ｍｍよりも小さい場合、下層吸収体を幅狭にするとそれに伴い上層吸収体も幅狭になるため、横漏れに対する十分な吸収力を確保できなくなる。また、下層吸収体を幅広にするとそれに伴い上層吸収体も幅広になるため、吸収力は確保できるが股間部（足ぐり）に違和感を与えることになる。この幅の差が４０ｍｍよりも大きくなると、股間の幅に対して下層吸収体が狭くなりすぎてしまい、十分な吸収力を確保できなくなる一方で、下層吸収体の幅を股間部に合わせると、上層吸収体が幅広になりすぎて下着からはみ出してしまい、下着側部からの伝い漏れや違和感を与えることになる。
【００２２】
下層吸収体層５としては、一般的には、パルプなどの吸収性繊維５ａと高吸収性ポリマー５ｂが混合されて形成された吸収性コアと、この吸収性コアを覆う液透過性のティッシュ５ｃにより構成された吸収体層が好ましく用いられる。
【００２３】
下層吸収体層５は、この実施例では、図１に示すように、人体の腹と背に向かう方向を長手方向、左足と右足に向かう方向を短手方向とした場合、腹−背方向に長い略長方形状（短手方向幅は一定）であって、少なくとも吸収性コアは長手方向の中央部において幅狭にくびれたくびれ部７を有した砂時計型形状をしている。
【００２４】
下層吸収体層５のくびれ部７は吸収体層の最小幅であり、股間部での装着快適性を考慮すると、好ましくは３０〜８０ｍｍ程度で設計することが好ましい。８０ｍｍより大きいと、装着時に吸収体が寄って嵩高になり装着感を悪くしたり、吸収面がよれて排泄物の吸収を阻害するおそれがある。３０ｍｍより小さいと、股間部での装着感は良いが、股間幅より小さくなるため吸収力が不十分になる恐れがある。
【００２５】
次に、上層吸収体層６について説明する。
上層吸収体層６は、親水性シート６ａと高吸収性ポリマー６ｂとで形成される。
親水性シートは、不織布、多孔性プラスチックスシートなどからなる親水性を有するシートである。不織布、多孔性プラスチックスシートなどの場合には、必要に応じて、親水処理が施される。また、不織布としては、例えば、スパンレース、スパンボンド、サーマルボンド、メルトブローン、ニードルパンチ、エアースルー等の不織布が用いられる。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を例示できる。
【００２６】
高吸収性ポリマー（ｓｕｐｅｒ  ａｂｓｏｒｂｅｎｔ  ｐｏｌｙｍｅｒ（ＳＡＰ））としては、例えば、デンプン系、アクリル酸系、アミノ酸系の粒子状又は繊維状のポリマーを例示できる。高吸収性ポリマーは通常粉砕物である。なお、ＳＡＰには抗菌剤等をコーティングしたものを使用してもよい。
【００２７】
図３及び図４Ａ及び４Ｂを参照すると、上層吸収体層６は、親水性シート６ａ−１の片側に高吸収性ポリマー６ｂが所定のパターンで散布され、別の親水性シート６ａ−２が高吸収性ポリマー６ｂを挟むように積層され、高吸収性ポリマー６ｂが散布されていない箇所６ｅで接合手段（例えば、ホットメルト接着剤６ｃを用いたヒートシール）によって接合されて、シート状に形成されている。
【００２８】
高吸収性ポリマー６ｂは、ホットメルトなどの接着剤６ｃで親水性シート６ａに固定されることが好ましいが、粉砕物のまま固定されずに親水性シート６ａで覆われて存在してもよい。
【００２９】
高吸収性ポリマーを挟む親水性シートは、１枚の親水性シートを折り返したものを接合してもよいし、上下で同じ又は異なる親水性シートを２枚用いて高吸収性樹脂を挟んで接合してもよい。
【００３０】
上層吸収体層の形態として、図２及び図３に示すように、親水性シートの端部および縁部は、中央部に向かって折り返して形成されていてもよい。折り返されることによって、吸収後過度に体圧が加わっても、膨潤した高吸収性ポリマーが上層吸収体層から飛び出る恐れをなくし、端部が折り返されることによって、シート材の目付が増えてより圧縮回復性が増す効果がある。
【００３１】
図１を参照すると、上層吸収体層６は、少なくとも吸収性物品の長手方向中央部（中間部）において、下層吸収体層５のくびれ部７よりも幅広の大きさを有する。このとき、上層吸収体層６の形状としては、下層吸収体層５が長手方向中間部においてくびれ部を有している場合には、短手方向に一定幅の長方形型であることができる。具体的には、上層吸収体層６は、少なくとも吸収性物品の長手方向中央部（中間部）において、幅４０〜１００ｍｍで設計することが好ましい。上層吸収体の長さは適宜設定できる。下層吸収体長の長さより短い場合は、上層吸収体で補足しきれなかった液体を下層吸収体で吸収でき、下層吸収体の長さより長い場合は、上層吸収体で前後端部を形成することで、より薄く、柔らかく、動きの大きいお尻にフィットしやすい。
【００３２】
上層吸収体層６は、高吸収性ポリマー６ｂを含むので、液を吸収し保持することができ、吸収体層として機能する。また、親水性シート６ａに高吸収性ポリマー６ｂを保持することで、高吸収性ポリマー６ｂをシート状物に形成することが可能にされている。親水性シート６ａは、親水性のゆえに、表面シート１を透過した排泄物によって濡れることができ、シート状に形成された高吸収性ポリマー６ｂが排泄物を吸収し保持する機能を阻害せず、補助する。
【００３３】
したがって、親水性シート６ａを用いて形成されたシート状の上層吸収体層６が、吸収性物品の長手方向中央部において、下層吸収体層５のくびれ部７よりも幅広の大きさを有することで、股間に幅広に上層吸収体層６が存在し、排泄時に横方向に広がる排泄物も吸収できて排泄物が吸収体の外へ漏れることを防止することができる。
【００３４】
このように、下層吸収体層５と、その長手方向中央部において下層吸収体層５よりもよりも幅広の上層吸収体層とを組み合わせて、吸収体を構成することによって、下層吸収体層の股間部の幅を使用者の股間幅に合わせて幅狭に設計することができるので、装着時に横方向の力が加わったとしても吸収体がよれにくくなり吸収能力を維持できる。また、吸収体が中央方向に寄って嵩高となることもないため、快適な装着感を維持することができる。
【００３５】
一方で、下層吸収体層の中央部が幅狭になることによって、側部領域での吸収力の低下が懸念されるが、下層吸収体層よりも幅広で配置されているため、多量の尿が横方向に広がっていったとしてもその上層吸収体層でしっかり吸収することができる。
【００３６】
また、上層吸収体層においては、親水性シートで高吸収性ポリマーを挟んだ形態をすることで、高い吸収能力を持ちながら薄く形成することができるため、幅広に形成したとしても足ぐりに違和感を与えない。
【００３７】
また、上層吸収体層６は、親水性シート６ａを用いて形成されており、柔軟性があるので、シート面方向に圧縮されることができるとともに、圧縮が解除された場合に、反発し、元のシート状に回復しようとする性質を有することができる。その結果、親水性シート６ａを用いて形成されたシート状の上層吸収体層６が、股間の動きに上層吸収体層６が追随して、排泄時に横方向に広がる排泄物も吸収できて排泄物が吸収体の外へ漏れることをより有効に防止することができる。
【００３８】
さらに、上層吸収体層を下層吸収体層よりも肌側に配置することによって、排泄物を瞬時に高吸収性ポリマーで吸収させることができるため、高いサラッと性を維持することができる効果がある。ただし、本発明の吸収性物品において上層吸収体層６と下層吸収体層５の配置の順序は、限定されず、上下が逆でもよい。
【００３９】
親水性シート６ａは、外力（本件では、装着時に足から製品内側に加わる力）に対して、一旦は外力に負けて折れたり寄れたりするが、外力から開放されたときに元に戻る能力が高いシートであることが好ましい。本発明で用いる親水性シートの外力開放時に元に戻る能力は、下記の試験方法で評価することができる。
【００４０】
測定装置としては、例えば、カトーテック社製ＫＥＳ−Ｇ５大型圧縮測定機を用いることができる。試験片サンプルは、２５ｍｍ幅、９０ｍｍ長の大きさで原反のＭＤ（機械進行）方向が縦長になるように採取する。長手方向の端部１０ｍｍを重ね、幅方向両端部から５ｍｍ内側の２箇所をホチキスで止めて直径約２５ｍｍのリング状に成形した。そのリング状の試験片サンプルを、端部が上下になるように圧縮測定台にセットし、直径約３５ｍｍ（面積１０ｃｍ２）の加圧端子で２０ｍｍ圧縮した時の圧縮回復率を測定し、乾燥圧縮回復率Ｒ（ｄ）とした。
【００４１】
圧縮回復率は、加圧端子を元に戻した後、試験片サンプルが十分に回復したときに、上側端部の高さを測定し、圧縮幅２０ｍｍを基準（１００％）にして、例えば、回復幅が５ｍｍのとき（試験片サンプルの高さが１０ｍｍに戻ったとき）、回復率を２５％として計算する。
【００４２】
本発明で用いる親水性シートは、乾燥（ＤＲＹ）圧縮回復率Ｒ（ｄ）が１０％以上であることが好ましく、１５％以上がより好ましく、２０％以上がさらに好ましい。
【００４３】
一般的に、吸水性素材からなるシートは、装着時に折れたり、ヨレたりし、その状態で排泄物で濡れると、水素結合の結びつきで元に戻りにくくなりやすい傾向がある。したがって、本発明で用いる親水性シートは、濡れた状態であっても、外力開放時に元に戻りやすいシートであることがより好ましい。そこで、乾燥時の圧縮回復率の試験方法と同様にして、ただし、試料全体を水（水道水）に浸し（６００重量％程度）、すぐに引き上げて、圧縮測定を行って、湿潤（ＷＥＴ）時の圧縮回復率Ｒ（ｗ）を評価した。
【００４４】
本発明で用いる親水性シートは、湿潤圧縮回復率Ｒ（ｗ）が５％以上であることが好ましく、１０％以上がより好ましく、１５％以上がさらに好ましい。
【００４５】
表１にシートＡ、Ｂ、Ｃ、Ｄについての乾燥圧縮回復率Ｒ（ｄ）及び湿潤圧縮回復率Ｒ（ｗ）を示す。
【００４６】
【表１】
2010107096.tif 000003
ＲＤ：乾燥圧縮回復率
ＲＷ：湿潤圧縮回復率
【００４７】
表１によると、シートＡは２５ｇ／ｍ２エアースルー不織布であり、シートＢは、１８ｇ／ｍ２のポイントボンド不織布であり、非吸収性繊維で構成され濡れても繊維自体が吸収しないために、湿潤Ｔ時の圧縮回復性が維持できている。
【００４８】
シートＣはパルプとバインダーからなるエアレイド、シートＤはティッシュであり、エアレイドは硬いために圧縮され難いが（表に記載なし）、圧縮によって一度折れると元に戻りにくく、湿潤時は吸収性繊維で構成されているため吸水して柔らかくなり回復しにくくなる。ティッシュも同様に吸水後は反発性がなくなり、湿潤圧縮回復率は測定することができなかった。
【００４９】
この結果から、親水性シートとして好ましいのは、シートＡ、Ｂのような、非吸水性繊維、具体的には、ポリエチレン（ＰＥ）、とポリプロピレン（ＰＰ）の芯鞘樹脂繊維から構成されており、熱風によって繊維を溶融ボンデングさせてなるスルーエアー不織布や、熱エンボスでボンデングさせてなるスパンボンド不織布やポイントボンド不織布が親水剤により親水性が付与されているものであった。親水性シートの目付は１０〜５０ｇ／ｍ２、厚み０．３〜５．０ｍｍ、繊度は１．８〜４．０ｄｔｅｘから選んで用いることができる。
【００５０】
すなわち、上層吸収体層においては、非吸収性の繊維から形成された親水性シートで高吸収性ポリマーを挟んだ形態とすることで、排泄物で濡れた場合であっても、回復力が低下しづらく、身体の動きにあわせて元の幅に復元することができる。
【００５１】
なお、上記の圧縮回復率は単一のシートについて測定したが、上層吸収体層においては、親水性シートは上下で少なくとも２枚用いられるので、単一のシートの圧縮回復率は同じでも、上層吸収体層全体としての圧縮回復力は単一のシートの場合よりも増大する。また、実際の装着では必ずしも上記試験条件のように大きく圧縮されるとは限らないので、その場合には回復率はより大きい。
【００５２】
図４Ａ及び図４Ｂは、上層吸収体層における高吸収性ポリマー６ｂの散布領域６ｄと非散布領域６ｅの例を示す。
【００５３】
上層吸収体層６は、高吸収性ポリマー６ｂの散布領域６ｄと非散布領域６ｅを持ち、非散布領域６ｅにおいて接合手段によって接合されていることが好ましい。接合手段によって親水性シート６ａ−１及び６ａ−２が接合されて、高吸収性ポリマー６ｂを非散布領域６ｅに閉じ込めることができる。
【００５４】
図４Ａにおいて、上層吸収体層６の非散布領域６ｅは前後端部６ｆのほか、全体に傾斜した格子状に形成されている。図４Ａでは格子状の非散布領域６ｅ（６ｆ）にエンボスが形成されており、その格子状の非散布領域６ｅ（６ｆ）によって囲まれる領域が高吸収性ポリマー６ｂの散布領域６ｄである。図４Ｂでは、上層吸収体層６の非散布領域６ｅは、前後端部６ｆと、長手方向及び短手方向の全体に延在する帯状に非散布領域６ｅが２本ずつ形成されて、高吸収性ポリマー６ｂの散布領域６ｄが９個に分割して形成されている。この長手方向に延在する非散布領域６ｅは、上層吸収体層６が表面シート１と接合される圧搾溝（ヒンジ）４のパターンに合致するように形成されており、これによって、圧搾溝４による表面シート１と吸収体３の接合がより確実にされる。
【００５５】
高吸収性ポリマー６ｂの散布領域６ｄにおける高吸収性ポリマー６ｂは、ホットメルト接着剤６ｃなどで親水性シート６ａに固定されていても、あるいは固定されずにさらさらと動くものであってもよい。高吸収性ポリマー６ｂの非散布領域６ｅでは、親水性シート同士はホットメルト接着剤、加熱エンボス加工などで接合されるので、基本的に高吸収性ポリマーは存在しないが、実際には少量の高吸収性ポリマーが存在してもよい。
【００５６】
このように上層吸収体層６に高吸収性ポリマー６ｂの散布領域６ｄと非散布領域６ｅを形成することによって、高吸収性ポリマー６ｂが一方向に偏らず親水性シート６ａ（上層吸収体層６）全体に均一に配置され、下層吸収体層５が配置されていない長手方向中央部の側部においても、確実に排泄物を吸収することができる。
【００５７】
すなわち、本発明の上層吸収体層６は、高吸収性ポリマーをパターニングして配置し、高吸収性ポリマーの非散布領域において親水性シート同士を接合して形成しているため、吸収力が低下している側部領域に確実に高吸収性ポリマーを配置でき、確実に吸収させることができる。
【００５８】
接合手段は、熱エンボス、ホットメルト接着剤などから選んで、または組み合わせて用いることができる。熱エンボスのパターンは、エンボス領域が硬くならず、またエンボス部がフィルム化して液透過性を損なわず、一方で吸収性物品を使用中に股間で縒れたり揉まれたりした場合でも接合部が外れないようなパターンであることが好ましい。具体的には、０．５〜５ｍｍ四方の四角状または０．５〜５ｍｍΦのドット状のエンボスパターンが２〜１０ｍｍの間隔を空けて千鳥状に配置されたものが好ましい（図示せず）。
【００５９】
ホットメルト接着剤を用いる場合には、例えばコーター、コントロールシーム、スパイラル、サミット式などの一般的なホットメルト接着剤塗工方法を用いてＳＩＳ，ＳＢＳ，ＳＥＢＳ系など一般的なホットメルト種を用いることができる。
【００６０】
同じく液透過性、柔軟性を阻害せず高吸収性ポリマー５ｂの散らばりが防止できるような塗工条件が好ましく、具体的にはコーター塗工によって０．５〜５ｍｍ塗工で１〜５ｍｍピッチのくし状に、目付が３〜１０ｇ／ｍ２で貼りあわされて用いることが好ましい。
【００６１】
ホットメルトを用いた接合は、高吸収性ポリマーの膨潤力によって接合が解除できるような仕様にすれば、大量に体液を吸収する場合であっても吸収を阻害する恐れが少ないので好ましい。具体的には、１８０°引き剥がし粘着力（ＪｌＳ２１０７）が、５００９以上４０００９以下のホットメルト接着剤を選択し、例えば、１〜２ｍｍ塗工、３ｍｍピッチのくし状パターンをコーター塗工により、１〜１０ｇ／ｍ２で塗工した液透過性シートを貼りあわせて形成することができる。
【００６２】
図４Ａ、図４Ｂに示すように、高吸収性ポリマー６ｂは商品の設計思想に合わせて、また、製品のヨレ防止のために実施される圧搾溝４のパターンに合わせる様に配置することができるが、図４Ｂに示すように、エンボスまたは圧搾溝が高吸収性ポリマーを噛まないようにするためには、エンボスまたは圧搾溝のパターンよりも２〜５ｍｍ内側にパターニングされるように設計することが好ましい。
【００６３】
高吸収性ポリマー６ｂの非散布領域６ｃの幅と圧搾溝４のパターンの幅との差が２ｍｍより小さいと、高吸収性ポリマー散布時または生産中の振動などで高吸収性ポリマーが散らばって、エンボスまたは圧搾溝に高吸収性ポリマーが噛んで両シートを接合することができなかったり、親水性シートが破れて高吸収性ポリマーなどの吸収体の中身が表面に出てくる恐れがあり、５ｍｍより大きいと高吸収性ポリマーの不在領域が広くなりすぎて吸収性を阻害することがある。
【００６４】
図５Ａ及び５Ｂに表面シート１と吸収体３を接合する圧搾溝（ヒンジ）４のパターン及びこれを形成するためのエンボスの形状の例を示す。図５Ａは平面図、図５Ｂは図５ＡのＸ部の拡大平面図、及びはヒンジ形成用エンボスの形状を示す横断面図である。
【００６５】
図５Ａ及び５Ｂを参照すると、圧搾溝は連続ではなく、ドット状に圧搾部４ａと非圧搾部４ｂを繰り返すようにし、また圧搾部４ａも小さいドットのエンボスの繰り返し（図５Ａでは４個）とすること、さらには個々のエンボス８の先端は鈍角の山と谷で構成することで、表面シート１、上層吸収体層６の親水性シート６ａなどが破れることを防止し、また肌面の接触感を柔らかくすることが好ましい。図５Ａの圧搾溝４の一部Ｘの拡大図と、このような圧搾溝を形成するためのエンボスの横断形状を、図５Ｂに示す。
【００６６】
圧搾溝４は、図２に示すように、表面シート１から上層吸収体層６及び下層吸収体層５まで伸びて、これらを接合する。上記のように、上層吸収体層６の高吸収性ポリマー６ｂの非散布領域６ｃをこの圧搾溝４のパターンと一致させることで、圧搾溝４による表面シート１と吸収体３の接合がより確実にされる。
【００６７】
最後に、その他の構成材料について説明する。
本発明において、下層吸収体層５は、失禁パッド、生理用ナプキン、使い捨ておむつなどの吸収性物品において吸収体本体として使用される、従来から公知の吸収体材料で構成することができる。代表的な吸収性材料としては、吸収性繊維と高吸収性ポリマーを混合して含むものである。
【００６８】
吸収性繊維としては、フラップ状あるいは不織布状のパルプ（各種繊維を含む。以下、単にパルプという。）がある。フラップ状のパルプとしては、例えば、化学パルプ、セルロース繊維、レーヨン繊維、アセテート繊維などの人口セルロース繊維などを例示できる。エアレイド不織布として、例えば、パルプと合成繊維とを熱融着させ又はバインダーで固着させた不織布を例示できる。また、不織布としては、例えば、スパンレース、スパンボンド、サーマルボンド、メルトブローン、ニードルパンチ、エアースルー等の不織布が用いられる。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を例示できる。
【００６９】
高吸収性ポリマーとしては、例えば、デンプン系、アクリル酸系、アミノ酸系の粒子状又は繊維状のポリマーを例示できる。クッションとしては、例えば、液透過性の紙やセルロースシート部を使用してもよい。
【００７０】
具体的には、パルプなどの吸収性繊維５ａと高吸収性ポリマー５ｂを混合して吸収性コアを形成し、それを液透過性の素材、特にティッシュ５ｃで覆って構成したものが好ましく用いられる。
【００７１】
吸収性コアを覆う液透過性の素材としては、ティッシュのほか、コットン等のセルロース、レーヨンやフィブリルレーヨン等の再生セルロース、アセテートやトリアセテート等の半合成セルロース、繊維状ポリマー、熱可塑性疎水性化学繊維等から形成された織布又は不織布でもよい。
【００７２】
パルプなどの吸収性繊維５ａは目付１００〜８００ｇ／ｍ２、高吸収性ポリマー５ｂの質量比は吸収性繊維５ａを１００％として３０〜６５％が好ましい。
【００７３】
吸収性繊維５ａと高吸収性ポリマー５ｂが全体に均一に分布した混合体を覆うティッシュなど液透過性の素材の目付は１２〜３０ｇ／ｍ２が好ましい。
【００７４】
そのほか、他の吸収体層として親水性シートを用いることも可能である。親水性シートとしては、ティッシュ、吸収紙、親水化処理をした不織布などを挙げることができる。
【００７５】
これらの吸収性材料は、通常、単層又は複層のマット状にして用いられる。
図６に下層吸収体層５の好ましい実施例を示す。この下層吸収体層５は、パルプなどの吸収性繊維と高吸収性ポリマーを混合して吸収性コアを形成し、それを液透過性の素材、特にティッシュで覆って構成されている。
【００７６】
図６の上図は下層吸収体層５の平面図であり、１１がティッシュのパターン、１２が吸収性コアのパターンであり、いずれも長手方向中央がくびれた砂時計型である。
【００７７】
図６の下図は吸収性コア１２の側面図であり、吸収性コア１２が長手方向の前後端部において厚みが本体部と比べて小さくされている。本体部１２ａの目付けは２５０〜６００ｇ／ｍ２、前後端部１２ｂの目付けはパルプ目付２００〜５００ｇ／ｍ２、高吸収性ポリマーを４０〜４６％で混合して形成したものが好ましい。本体部１２ａの目付けは十分な吸収性を確保すること、前後端部１２ｂの目付けは吸収性と快適性を両立することを考慮したものである。
【００７８】
図６の上図にエンボスのパターンを示すが、下層吸収体層５の本体部１２ａの中央部１２ａ−１の排泄部当接部にはエンボスは形成せず、本体部１２ａのそれ以外の領域１２ａ−２には、粗いドットのパターンでエンボスが形成されている。粗いドットに代えて粗い格子状でもよい。このエンボスパターンの目的は、圧搾溝４を形成する際に表面シート１の伸度を減らすために吸収体の厚みを減らすことにあるが、吸収体の密度が増加しすぎると吸収性（吸収速度）が損なわれるので、粗いドットあるいは格子状のパターンとするものである。
【００７９】
一方、下層吸収体層５の前後端部１２ｂのエンボスパターンは、吸収性物品の快適性を向上させるために薄く軟らかく仕上げるために、細かい格子パターンが好ましい。ただし、エンボスの凸部（圧縮部）面積より凹部（非圧縮部）面積を大きくすることが望ましい。
【００８０】
上記の構成を採用することによって、下層吸収体層は３段階の密度勾配を有する。すなわち、中心部の大きい目付けでエンボスのない領域（本体部中心部）１２ａ−１と、目付けは大きいが粗いエンボスのある領域（本体部周囲）１２ａ−２と、小さい目付けで細かくエンボスされた領域（前後端部）１２ｂである。
【００８１】
表面シート１は、液体透過性があり、肌を傷付けず、一方で肌との摩擦における耐久性があるものであればどのようなものでもよく、１５〜３０ｇ／ｍ２程度で、肌触りがやわらかいエアースルー不織布、スパンボンド不織布、親水剤が付与された開孔フィルム、またはこれらを組み合わせて用いることができる。
【００８２】
裏面シート２は、排泄物を下着まで染み出さないようなポリエチレンフィルムがよい。また、裏面シート２のショーツ接触面側には、ショーツに固定させるために粘着剤が塗布されている。
【００８３】
上記の実施例では、説明しなかったが、必要に応じて、表面シート１上に立体ギャザーを付加したり、表面シート１と上層吸収体層６の間や上層吸収体層６と下層吸収体層５の間にクッション層（図示せず）を介在させたり、裏面シート２の裏側にずれ止めコータ及びセパレータを設けるなどできることはいうまでもない。
【００８４】
また、上記では、本発明の吸収性物品を失禁パッドに適用した実施例に基づいて説明したが、生理用ナプキンなど他の吸収性物品にも適用できる。
【符号の説明】
【００８５】
１    表面シート
２    防漏シート
３    吸収体
４    圧搾溝
５    下層吸収体層
５ａ    吸収性繊維
５ｂ    高吸収性ポリマー
５ｃ    ティッシュ
６    上層吸収体層
６ａ    親水性シート
６ｂ    高吸収性ポリマー
６ｃ    ホットメルト接着剤
６ｄ    ポリマー散布領域
６ｅ    ポリマー非散布領域
７    くびれ部
１０    吸収性物品
【図１】
2010107096.tif 000004
【図２】
2010107096.tif 000005
【図３】
2010107096.tif 000006
【図４Ａ】
2010107096.tif 000007
【図４Ｂ】
2010107096.tif 000008
【図５Ａ】
2010107096.tif 000009
【図５Ｂ】
2010107096.tif 000010
【図６】
2010107096.tif 000011
【国際調査報告】
2010107096.tif 000012
2010107096.tif 000013
2010107096.tif 000014
2010107096.tif 000015
2010107096.tif 000016
2010107096.tif 000017
2010107096.tif 000018